(57)【要約】      （修正有）【課題】収納ケースに撓性被覆単元を設け、撓性被覆単元を利用して収納ケースの上部の開口を閉止することにより、収納ケースの収容空間をよい密閉状態とすることができる収納ケースを提供する。【解決手段】底座１は複数個の間隔部材１３によって上層板１１と下層板１２の間に設けられる。上層板の周辺に環状壁１４が環設され、環状壁は上層板の表面から突き出るように形成される。側板２は底辺２４によって底座１の環状壁１４内に設置される。側板の第一側辺２１には嵌入溝２５が設けられ、嵌入溝は隣接する側板の第二側辺２２が嵌入するのに用いられる。第二側辺を第一側辺の嵌入溝に嵌入させることにより所定の形状を有する框体が形成される。環状壁は複数個の側板の頂辺２３を被覆するように形成される。【選択図】図１
0003156848.tif 000002
【実用新案登録請求の範囲】
【請求項１】
底座（１）、複数個の側板（２）および撓性被覆単元（３）を有する収納ケースにおいて、底座（１）は複数個の間隔部材（１３）によって上層板（１１）と下層板（１２）の間に設けられることにより、底座（１）は所定の形状を有するように形成され、上層板（１１）の周辺には環状壁（１４）が環設され、環状壁（１４）は上層板（１１）の表面から突き出るように形成され、複数個の側板（２）は所定の形状を有する板に形成され、複数個の側板（２）はそれぞれ底辺（２４）によって底座（１）の環状壁（１４）の内に設置され、複数個の側板（２）の第一側辺（２１）には嵌入溝（２５）が設けられ、嵌入溝（２５）は隣接する側板（２）の第二側辺（２２）が嵌入するのに用いられ、第二側辺（２２）を第一側辺（２１）の嵌入溝（２５）に嵌入させることにより所定の形状を有する框体が形成され、複数個の側辺（２）には頂辺（２３）が設けられ、撓性被覆単元（３）には環状壁（３３）が設けられ、環状壁（３３）は複数個の側板（２）の頂辺（２３）を被覆するように形成されることを特徴とする収納ケース。
【請求項２】
底座（１）の下層板（１２）と複数個の側板（２）により形成される框体は矩形で、下層板（１２）を複数個の側板（２）の頂辺（２３）により囲まれた框体の内に置き入れることができることを特徴とする請求項１に記載の収納ケース。
【請求項３】
底座（１）の間隔部材（１３）は上層板（１１）と下層板（１２）のそれぞれの辺から突き出るように形成されることを特徴とする請求項１または２に記載の収納ケース。
【請求項４】
底座（１）の間隔部材（１３）の相互の間には適当な隙間（１５）を有するように形成されることを特徴とする請求項１または２に記載の収納ケース。
【請求項５】
複数個の側板（２）にはそれぞれ孔（２８）が設けられ、孔（２８）は位置決め部材（４）の一端が固定するのに用いられ、位置決め部材（４）のもう一方の一端は間隔部材（１３）に固定されることを特徴とする請求項１または２に記載の収納ケース。
【請求項６】
複数個の側板（２）の頂辺（２３）には補強部（２６）が設けられることを特徴とする請求項１または２に記載の収納ケース。
【請求項７】
撓性被覆単元（３）は紙質層（３１）と防水層（３２）を貼り付けてなるものであことを特徴とする請求項１または２に記載の収納ケース。
【請求項８】
防止層（３２）はポリエチレンの編織フィルムからなることを特徴とする請求項７に記載の収納ケース。
【請求項９】
撓性被覆単元（３）には複数個の連接部材（３４）が設けられ、複数個の側板（２）には固定部材（２７）が設けられ、連接部材（３４）は固定部材（２７）に固定されることを特徴とする請求項１または２に記載の収納ケース。
【請求項１０】
撓性被覆単元（３）には紙質層（３１）の表面から防水層（３２）が設けられ、撓性被覆単元（３）にはそれぞれの周辺から下方へ向かって延伸するように環状壁（３３）が形成されることを特徴とする収納ケースの撓性被覆単元。
【請求項１１】
撓性被覆単元（３）には複数個の連接部材（３４）が設けられることを特徴とする請求項１０に記載の収納ケースの撓性被覆単元。
【請求項１２】
防水層（３２）は塗布または粘着の方式により紙質層（３１）の一方の表面に形成されることを特徴とする請求項１０または１１に記載の収納ケースの撓性被覆単元。
【請求項１３】
防水層（３２）はポリエチレンの編織フィルムからなることを特徴とする請求項１２に記載の収納ケースの撓性被覆単元。
【考案の詳細な説明】
【技術分野】
【０００１】
本考案は、収納ケースに関するもので、特に撓性被覆単元を有する収納ケースを互いに重ねて位置決めすることができる収納ケースに係るものである。
【背景技術】
【０００２】
従来の収納ケースの構造としては、例えば図６を参照すると、中華民国公告番号第４１３２３３号「金属包装ケースの構造改良（一）」（特許文献１を参照）において、従来の収納ケース９には底座９１、複数個の側板９２と上蓋板９３が含まれる。底座９１は上層板９１１と下層板９１２により構成される。上層板９１１と下層板９１２はそれぞれ複数個の板片からなり、上層板９１１には上層板９１１の周縁を囲んで突出するように環状壁９１３が設けられる。複数個の側板９２にはそれぞれ一方の側辺から嵌入溝９２１が設けられ、複数個の側板９２は隣接する側辺から嵌入溝９２１と嵌合することができる。さらに複数個の側板９２は環状壁９１３の内の底座９１に環設され、そして上蓋板９３は側板９２の上端縁を被覆するように設置される。上蓋板９３は複数個の板片９３１、９３２により構成され、複数個の板片９３１、９３２は互いに垂直に交差するように固定することができるようにとしたものがある。
【先行技術文献】
【特許文献】
【０００３】
【特許文献１】中華民国公告番号第４１３２３３号
【考案の概要】
【考案が解決しようとする課題】
【０００４】
上記のような従来の収納ケースの構造においては、一般として下記の問題点を有している。従来の収納ケース９を使用して物品を収納する時、上記物品を複数個の側板９２と底座９１により囲まれた収容空間に置き入れてから、上蓋板９３を側板９２の上端縁を被覆するように設置し、そして上蓋板９３の下層の板片９３２を側板９２が囲んだ収容空間の内に沈ませ、さらに上層の板片９３１を複数個の側板９２の上端縁の上側に平らに設置している。上蓋板９３と複数個の側板９２の間にはその他の部材を利用して上蓋板９３を固定していないため、収納ケース９を固定しようとする時、余分な金属ベルトを利用して複雑な梱包作業を経て上蓋板９３を固定しなければならない。その他に、上蓋板９３の複数個の板片９３１、９３２の間は互いに密接せずに隙間を有し、そのために上蓋板９３では遮蔽および防水の効果を有せず、収納ケース９内の物品は外来の汚染を避けることができないため、上記物品が壊れ易くなるという問題点があった。
【０００５】
また、図７を参照すると、従来の収納ケース９を上下に積み重ねる時、底座９１の底部と上蓋板９３の複数個の板片９３１、９３２の間は互いに貼接するようにしか形成することができず、両者の間には互いに嵌合できる部材を欠けているため、上層の収納ケース９を定まった位置にしっかり位置決めすることができず、特に輸送の過程において上層の収納ケース９が偏って脱落してしまうという危険性があった。このように、上記のような従来の収納ケースの構造をさらに改良しなければならない。
【０００６】
本考案はこのような問題点に鑑みて考案されたものであって、その主な目的とするところは、収納ケースに撓性被覆単元を設け、撓性被覆単元を利用して収納ケースの上部の開口を閉止することにより、収納ケースの収容空間は比較のよい密閉の効果を有することができる収納ケースを提供することにある。
【０００７】
本考案の第二の目的とするところは、収納ケースを上下に積み重ねる時、上層の収納ケースの底座に設けられる下層板が下層の収納ケースの複数個の側板によって囲まれた空間内に沈み込むことができ、それにより、比較のよい固定の効果を有することができる収納ケースを提供することである。
【０００８】
本考案の第三の目的とするところは、収納ケースの底座に間隔部材を設け、間隔部材は横方向へ収納ケースの側辺から突き出るように形成されることにより、収納ケース同士を隣接して横方向へ併置する時、間隔部材によって隣接する収納ケースが互いにぶつかるのを防止することができる収納ケースを提供することである。
【０００９】
本考案の第四の目的とするところは、収納ケースの撓性被覆単元を複数個の側板の上部に確実に固定することができる収納ケースを提供することである。
【００１０】
本考案の第五の目的とするところは、側板が底座に直立される時、側板は位置決め部材によって間隔部材に固定されることにより、側板の固定がさらに堅固になることができる収納ケースを提供することである。
【課題を解決するための手段】
【００１１】
上記目的を達成するために、本考案による収納ケースは、以下のように構成される。
底座、複数個の側板および撓性被覆単元を有する。底座は複数個の間隔部材によって上層板と下層板の間に設けられることにより、所定の形状を有するように形成される。上層板の周辺には環状壁が環設され、環状壁は上層板の表面から突き出るように形成される。複数個の側板は所定の形状を有する板に形成され、複数個の側板はそれぞれ底辺によって底座の環状壁内に設置される。複数個の側板の第一側辺には嵌入溝が設けられ、嵌入溝は隣接する側板の第二側辺が嵌入するのに用いられ、第二側辺を第一側辺の嵌入溝に嵌入させることにより、所定の形状を有する框体が形成される。複数個の側辺には頂辺が設けられる。撓性被覆単元には環状壁が設けられ、環状壁は複数個の側板の頂辺を被覆するように形成される。
【００１２】
また、底座の下層板と複数個の側板により形成される框体は矩形で、下層板を複数個の側板の頂辺により囲まれた框体内に置き入れることもできる。また、底座の間隔部材が上層板と下層板のそれぞれの辺から突き出るように形成することもできる。また、底座の間隔部材の相互の間に適当な隙間を有するように形成することもできる。また、複数個の側板にそれぞれ孔が設けられ、孔は位置決め部材の一端が固定するのに用いられ、位置決め部材のもう一方の一端を間隔部材に固定することもできる。また、複数個の側板の頂辺に補強部を設けることもできる。また、撓性被覆単元は紙質層と防水層を貼り付けてなることもできる。また、防止層はポリエチレンの編織フィルムからなることもできる。また、撓性被覆単元に複数個の連接部材を設け、複数個の側板に固定部材を設け、連接部材を固定部材に固定することもできる。
【００１３】
また、本考案による収納ケースの撓性被覆単元は、撓性被覆単元には紙質層の表面から防水層が設けられ、撓性被覆単元はそれぞれの周辺から下方へ向かって延伸するように環状壁が形成される。
【００１４】
さらに、撓性被覆単元には複数個の連接部材が設けられることもできる。また、防水層は塗布または粘着の方式により紙質層の一方の表面に形成されることもできる。また、防水層（３２）はポリエチレンの編織フィルムからなることもできる。
【考案の効果】
【００１５】
本考案の収納ケースによれば、収納ケースに撓性被覆単元を設け、撓性被覆単元を利用して収納ケースの上部の開口を閉止することにより、収納ケースの収容空間は良好な密閉効果を有することができるという利点がある。
【００１６】
本考案の収納ケースによれば、収納ケースを上下に積み重ねる時、上層の収納ケースの底座に設けられた下層板が下層の収納ケースの複数個の側板によって囲まれた空間内に沈み込むことができるため、良好な固定効果を有することができるという利点がある。
【００１７】
本考案の収納ケースによれば、収納ケースの底座に間隔部材を設け、間隔部材が横方向へ収納ケースの側辺から突き出るように形成されることにより、収納ケース同士を隣接して横方向へ併置する時、間隔部材によって隣接する収納ケースが互いにぶつかるのを防止することができるという利点がある。
【００１８】
本考案の収納ケースによれば、収納ケースの撓性被覆単元を複数個の側板の上部に確実に固定することができるという利点がある。
【００１９】
本考案の収納ケースによれば、側板が底座に直立される時、側板は位置決め部材によって間隔部材に固定されるため、側板の固定がさらに堅固になることができるという利点がある。
【図面の簡単な説明】
【００２０】
【図１】図１は、本考案の収納ケースの分解斜視図である。
【図２】図２は、本考案の収納ケースの組み立てられた状態の断面図である。
【図３】図３は、本考案の収納ケースの組み立てられた状態の斜視図である。
【図４】図４は、本考案の収納ケースの上下に積み重なった状態の説明図である。
【図５】図５は、本考案の収納ケースの横方向へ併置された状態の説明図である。
【図６】図６は、従来の収納ケースの分解斜視図である。
【図７】図７は、従来の収納ケースの積み重なった状態の説明図である。
【考案を実施するための形態】
【００２１】
本考案の好適な実施形態について、以下、図面を参照して説明する。
【００２２】
図１は本考案の収納ケースの分解斜視図である。図１を参照すると、本考案の実施例における収納ケースには、底座１、複数個の側板２および撓性被覆単元３が含まれる。複数個の側板２は底座１の周辺に環設され、撓性被覆単元３は複数個の側板２の上端縁を被覆するように形成される。底座１は上層板１１、下層板１２、複数個の間隔部材１３と上層板１１の周辺から突出して上層板１１の周辺を囲むように形成された環状壁１４により構成される。上層板１１は底座１の上表面を構成するもので、上層板１１は慣用の金属板や木板からなるとともに、所定の形状を有するように構成される。
【００２３】
本実施例において、上層板１１は複数個の木板片により構成され、そして複数個の木板片は互いに貼接するように形成されることにより、隙間のない矩形に形成される。下層板１２は底座１の底表面を構成し、下層板１２も慣用の金属板や木板からなるとともに、上層板１１と同じ形状に形成される。本実施例において、下層板１２も複数個の木板片により矩形に構成され、下層板１２は所定の第一長さＬ１と第一幅Ｗ１を有する。複数個の間隔部材１３は上層板１１と下層板１２の間に設けられる。複数個の間隔部材１３は棒状または塊状体からなるため、上層板１１と下層板１２は結合して固定することができる。複数個の間隔部材１３の相互間には適当な隙間１５が形成され、隙間１５はフォークリフトのフォークが伸入するのに用いることができる。また、複数個の間隔部材１３は上層板１１と下層板１２の各辺から突き出るように形成される。環状壁１４は上層板１１の周辺に環設されるとともに、上層板１１の表面から突き出るように形成される。
【００２４】
複数個の側板２は底座１の各辺に設けられ、複数個の側板２は所定の形状を有するように形成される。本実施例において、複数個の側板２は矩形の形状に形成される。複数個の側２には第一側辺２１、第二側辺２２、頂辺２３と底辺２４が含まれる。第一側辺２１には嵌入溝２５が設けられ、嵌入溝２５は隣接する側板２の第二側辺２２が嵌入するのに用いられ、それにより、複数個の側板２は囲むようになって所定の形状を有する框体として形成される。この框体は収納ケースの側辺を構成することができる。頂辺２３には折り曲げまたは溶接により補強部２６が形成されるため、頂辺２３は強い載荷強度を有するように形成される。底辺２４は底座１に直立するように、かつ環状壁１４内に位置するように形成される。また、必要に応じて側板２を位置決め部材４によって底座１に固定することができる。
【００２５】
図２は本考案の収納ケースの組み立てられた状態の断面図である。図１、２を参照すると、位置決め部材４はフックからなることができ、位置決め部材４の一端は側板２の孔２８を貫穿して固定し、位置決め部材４のもう一方の一端は直接底座１の間隔部材１３に固定することができる。
【００２６】
撓性被覆単元３は紙、プラスチック、合成皮革（塑膠皮）、帆布などの可撓性の材質により製造される。本実施例において、撓性被覆単元３には紙質層３１の一方の表面から塗布または粘着などの方式によって防水層３２が設けられる。防水層３２は好ましくはポリエチレンの編織フィルムからなるため、撓性被覆単元３は防水、可撓性と摩擦に強い等の利点を有するように形成される。撓性被覆単元３は底座１と相対応の形状に形成され、撓性被覆単元３は複数個の側板２の頂辺２３を被覆することができる。
【００２７】
撓性被覆単元３にはそれぞれの周辺から下方へ向かって延伸するように環状壁３３が形成される。環状壁３３は複数個の側板２の頂辺２３の外側を囲むように形成される。また、撓性被覆単元３に良好な固定効果を提供するべく、撓性被覆単元３に複数個の連接部材３４を設置することができる。連接部材３４は側板２に設けられる固定部材２７と結合することにより、撓性被覆単元３は強固に複数個の側板２の頂辺２３に固定される。本実施例において、連接部材３４は従来のゴムバンドからなることができ、そして固定部材２７はフックからなることができるため、連接部材３４を簡単に固定部材２７に固定することができ、さらに連接部材３４は弾性による伸縮性を有するように形成される。
【００２８】
図３は本考案の収納ケースの組み立てられた状態の斜視図である。図２、３を参照すると、図３に示される本考案の収納ケースの組み立てられた状態において、複数個の側板２は底辺２４によって底座１の環状壁１４内に直立するように形成され、そして複数個の側板２はさらに位置決め部材４を利用して固定することができる。複数個の側板２同士は第二側辺２２によって隣接する側辺の嵌入溝２５の内に嵌入することにより、複数個の側板２と底座１は矩形の形状を有する収納ケースに組み立てられる。収納ケースの二個の対応する側板２間には所定の第二長さＬ２と第二幅Ｗ２が形成される。第二長さＬ２は下層板１２の第一長さＬ１より少し大きくまたは同じになるように形成され、第二幅Ｗ２は下層板１２の第一幅Ｗ１より少し大きくまたは同じになるように形成される。撓性被覆単元３は複数個の側板２の頂辺２３を被覆し、そして連接部材３４は複数個の側板２の固定部材２７に連接され、それにより、撓性被覆単元３によって複数個の側板２の開口を閉止することができるため、収納ケース内の物品を守ることができる。
【００２９】
図４は本考案の収納ケースの上下に積み重なった状態の説明図である。図４を参照すると、本考案の収納ケースが、図４に示すように、下層の収納ケース上に上層の収納ケースを積み重ねた場合、撓性被覆単元３が可撓性を有するため、そして側板２の第二長さＬ２が下層板１２の第一長さＬ１より少し大きくまたは同じになるように形成されるため、さらに第二幅Ｗ２が下層板１２の第一幅Ｗ１より少し大きくまたは同じになるように形成されるため、上層の収納ケースの底座１に設けられる下層板１２は下層の収納ケースの複数個の側板２内に沈み込むことができ、さらに上、下層の収納ケースは相対的に滑動することなく、よりよい位置決め効果を有することができる。
【００３０】
図５は本考案の収納ケースの横方向へ併置された状態の説明図である。図５を参照すると、収納ケースが平行に配列するように配置される場合、間隔部材１３は側板２から突き出るように形成されるため、隣接する収納ケース間には間隔部材１３の当接によって適当な隙間が形成され、この隙間によって側板２が互いにぶつかるのを避けることができるため、側板２が壊れるのを防止することができる。
【産業上の利用可能性】
【００３１】
上述の如く、本考案の収納ケースによれば、収納ケースに撓性被覆単元３を設け、撓性被覆単元３を利用して側板２の上部の開口を閉止することにより、収納ケースの収容空間は良好な密閉の効果を有することができる。
【００３２】
また、本考案の収納ケースによれば、収納ケースを上下に積み重ねる時、上層の収納ケースの底座１に設けられる下層板１２は下層の収納ケースの複数個の側板２によって囲まれた空間内に沈み込むことができるため、良好な固定の効果を有することができる。
【００３３】
また、本考案の収納ケースによれば、収納ケースの底座１に間隔部材１３を設け、間隔部材１３は横方向へ収納ケースの側辺２から突き出るように形成されることにより、収納ケース同士を隣接して横方向へ併置する時、間隔部材１３によって隣接する収納ケースが互いにぶつかるのを防止することができる。
【００３４】
また、本考案の収納ケースによれば、収納ケースの撓性被覆単元３を連接部材３４によって側板２の固定部材２７に固定することができるため、本考案の撓性被覆単元３を複数個の側板２の上部に確実に固定することができる。
【００３５】
また、本考案の収納ケースによれば、側板２は位置決め部材４によって間隔部材１３に固定されるため、側板２が底座１に固定されると、より一層堅固になることができる。
【００３６】
本考案は、その精神と必須の特徴事項から逸脱することなく他のやり方で実施することができる。従って、本明細書に記載した好ましい実施形態は例示的なものであり、限定を意図するものではない。
【符号の説明】
【００３７】
１    底座
１１    上層板
１２    下層板
１３    間隔部材
１４    環状壁
１５    隙間
２    側板
２１    第一側辺
２２    第二側辺
２３    頂辺
２４    底辺
２５    嵌入溝
２６    補強部
２７    固定部材
２８    孔
３    撓性被覆単元
３１    紙質層
３２    防水層
３３    環状壁
３４    連接部材
４    位置決め部材
９    収納ケース
９１    底座
９１１    上層板
９１２    下層板
９１３    環状壁
９２    側板
９２１    嵌入溝
９３    上蓋板
９３１    板片
９３２    板片
Ｌ１    第一長さ
Ｌ２    第二長さ
Ｗ１    第一幅
Ｗ２    第二幅
【図１】
0003156848.tif 000003
【図２】
0003156848.tif 000004
【図３】
0003156848.tif 000005
【図４】
0003156848.tif 000006
【図５】
0003156848.tif 000007
【図６】
0003156848.tif 000008
【図７】
0003156848.tif 000009